(57)【特許請求の範囲】
【請求項１】
軸筒の前方部に、後端部から槍状の突起を後方へ延出したペン芯と、該ペン芯に隣接させたペン先とを装着し、インキ収容体の内部に摺動可能に配した移動弁部材を、該インキ収容体の外部へ露出した操作部材を回転操作することにより、前記移動弁部材に連結され且つ外面に操作部材の雌螺子部に噛み合う雄螺子部を有する押棒を介して前後動させ、前記インキ収容体の内部へインキを吸入する構造のインキ吸入具付の万年筆であって、後方から前方へ向かって縮径する前端傾斜面を前端に設けた円筒部と、該円筒部の後部を外方へ拡径して前記インキ収容体の内面に形成した突部に当接させる鍔部とを有し、且つ前記円筒部および前記鍔部の軸心に沿って形成した貫通孔を有する移動駒部材を、前記インキ収容体の内部に前後動可能に配設させ、前記万年筆のペン先を上方へ向けた状態から該ペン先を下方へ向けた状態にした際に、前記移動駒部材がインキと共に後方から前方へ移動すると共に、当該移動駒部材の前端傾斜面が前記ペン芯の後端部に隣接した状態となるインキ吸入具付の万年筆。
【発明の詳細な説明】
【技術分野】
【０００１】
本発明は筆記具用のインキ吸入具付の万年筆に関し、さらに詳細には、軸筒の前方部に、インキ収容体の内部に槍状の突起を突出させて配したペン芯と、ペン芯に隣接させたペン先とを装着し、インキ収容体の内部に摺動可能に配した移動弁部材を、インキ収容体の外部に露出させた操作部材を回転操作することにより、移動弁部材に連結し且つ外面に操作部材の雌螺子部に噛み合う雄螺子部を設けた押棒を介して前後動させて、インキ収容体の内部にインキを吸入する構造のインキ吸入具付の万年筆に関する。
【背景技術】
【０００２】
従来より、万年筆に装着したインキ吸入具のインキ収容体へインキを吸入する手段として、例えば特開２００２−３３１７９０号公報に開示されているように、操作部材を回転操作することでインキ収容体の内部に配した移動弁部材を前後動させ、インキ収容体内にインキの吸入を行う構造のインキ吸入具はよく知られている。このようなインキ吸入具を用いた万年筆を図で説明すると、図９に示す万年筆１００では、軸筒２にインキ吸入具５０を装着して、インキ吸入具５０の操作部材９０を回転操作することによって、操作部材９０の雌螺子部９０ａで押棒８０の雄螺子部８０ａを前進させ、押棒８０と共に移動弁部材７０を前進させた後に、操作部材９０を逆回転させて移動弁部材７０を後退させることで、インキ収容体６０内に負圧を発生させ、インキ瓶のインキに浸けたペン芯２０からインキを吸入することが可能である。
【０００３】
また図１０に示すように従来の万年筆では、インキ吸入具の他にもインキ３００を内部に予め収容したカートリッジ６１を装着することが可能な構造も一般的に知られている。このカートリッジ６１が装着できる万年筆では、ペン芯２０の後端部２０ａの一部を後方へ槍状に突出させた突起部２０ｂによって、カートリッジ６１の前端開口部を閉塞している蓋体６２ａを押し開ける構造としたものがある。このような万年筆に対しては、カートリッジ６１が、カートリッジ６１の前端開口部６１ａの内面に、ペン芯２０の後端部２０ａおよびペン芯２０を挿着させた首部３の中間部３ａが密着するように装着してあり（図１０参照）、同様にインキ収容体６０の前端開口部６０ａの内面に、ペン芯２０の後端部２０ａおよびペン芯２０を挿着させた首部３の中間部３ａが密着するように装着してある（図９参照）。したがって、このような万年筆１００に装着するカートリッジ６１の前端開口部６１ａおよびインキ吸入具６０の前端開口部６０ａの内径は、大きく形成する必要がある。
【０００４】
ところで、インキ吸入具の移動弁部材は、ゴムやエラストマーで形成することが多く、インキ収容体６０の内面に対して移動弁部材７０の接触抵抗を減少させるために、潤滑剤のグリスをインキ収容体６０の内面に塗布してある。したがって、グリスの疎水性でインキ収容体６０の内面に対するインキの濡れ性が悪くなり、例えばペン先２１を上へ向けた状態から筆記のためにペン先２１を下へ向けた状態にした時に、インキ収容体６０の後方に溜まったインキが表面張力でペン芯２０側へ流れて行き難く、すぐに筆記を行うことができないといった問題が生じていた。この状況は、特に、インキ収容体６０内のインキの残量が少なく軽くなっている時や、表面張力が高いインキを用いた場合に発生しやすい。この問題を解決する方法として一般的には、インキ収容体６０の内部に金属製のボールを配設することでインキの流れを促す構造が採用されているが、図９に示したように、インキ収容体６０の前端開口部６０ａが大きく形成されている場合には、図１１に示すように外径の大きなボール６２を使用する必要があり、インキ収容体の内面に形成した突部６０ｂでボール６２の前進が規制され、図中の破線で示す前進した移動弁部材７０の先端がボール６２に当接してしまい、インキの吸入量を少なくしてしまうという問題が生じていた。また大きく重いボール６２がインキ収容体６０の内面を塞いでしまったり、筆記時においてペン芯２０からインキ収容体６０内へ入り込む気泡がボール６２の手前で溜まり、インキの流出の妨げとなり筆記不良を起こす場合があった。
【先行技術文献】
【特許文献】
【０００５】
【特許文献１】特開２００２−３３１７９０号公報
【発明の概要】
【発明が解決しようとする課題】
【０００６】
本発明の目的は、ペン先を上へ向けた非筆記状態からペン先を下へ向けた筆記状態にする際におけるインキの動きをよくすると共に、筆記時におけるインキの流出を妨げることがない構造のインキ吸入具付の万年筆を得ることである。
【課題を解決するための手段】
【０００７】
本発明は、
「軸筒の前方部に、後端部から槍状の突起を後方へ延出したペン芯と、該ペン芯に隣接させたペン先とを装着し、インキ収容体の内部に摺動可能に配した移動弁部材を、該インキ収容体の外部へ露出した操作部材を回転操作することにより、前記移動弁部材に連結され且つ外面に操作部材の雌螺子部に噛み合う雄螺子部を有する押棒を介して前後動させ、前記インキ収容体の内部へインキを吸入する構造のインキ吸入具付の万年筆であって、後方から前方へ向かって縮径する前端傾斜面を前端に設けた円筒部と、該円筒部の後部を外方へ拡径して前記インキ収容体の内面に形成した突部に当接させる鍔部とを有し、且つ前記円筒部および前記鍔部の軸心に沿って形成した貫通孔を有する移動駒部材を、前記インキ収容体の内部に前後動可能に配設させ、前記万年筆のペン先を上方へ向けた状態から該ペン先を下方へ向けた状態にした際に、前記移動駒部材がインキと共に後方から前方へ移動すると共に、当該移動駒部材の前端傾斜面が前記ペン芯の後端部に隣接した状態となるインキ吸入具付の万年筆。」である。
【０００８】
本発明における移動駒部材は、金属のように比重の大きい材料で形成することがインキを移動させる効果が大きくなり好ましい。また、円筒部の前端に形成する前端傾斜面は、移動駒部材の前端傾斜面がペン芯の突起に当接した際に、円筒部の中心線がペン芯の突起がある位置の逆側を向いて前進する傾斜角度とすることが肝要である。また、円筒部および鍔部の軸心を貫通する貫通孔は、ペン芯から入り込む気泡がインキ収容体の後方へ移動しやすいように、ペン芯の後方位置において気泡がインキ収容体に入り込む位置に貫通孔の先端が位置するように設けることが好ましい。さらに移動駒部材が前進した状態において、移動駒部材の前端がペン芯の後端部に隣接するよう設定することで、移動駒部材の前端で気泡が溜まってしまうことを防ぎ、気泡がスムーズに貫通孔へ移動しやすい構造となる。
【０００９】
移動駒部材の鍔部の外形は、インキ吸入具を万年筆から外した状態において、インキ収容体の内面に形成した突部に移動駒部材の鍔部が掛止して、インキ収容体から移動駒部材が抜け落ちない大きさとすればよい。また鍔部は、インキ収容体にインキを吸入する際に、移動弁部材をできるだけペン芯側へ近づけて多くのインキが吸入できるようにするために、後方への出っ張りを少なくすることが好ましく、さらに鍔部の内面形状を移動弁部材の外面形状に合致するよう形成することで、例えば移動弁部材の先端部が円錐状の場合には、移動駒部材の鍔部の内面を後方から前方へ向かって縮径する傾斜面とすることにより、インキ吸入操作時において押棒により前進された移動弁部材の先端部が移動駒部材の鍔部の内面に合致して、移動駒部材を軸心に対して平行に移動させることができるようになるので、移動駒部材が前進した際にペン芯の突起と当接してしまい首部からペン芯が抜け落ちるということを防ぐことができる。
【発明の効果】
【００１０】
本発明のインキ吸入具付の万年筆は、万年筆のペン先を上方へ向けた状態、つまりインキがインキ収容体の後方に溜まった状態から、筆記を行うために軸筒を反転させてペン先を下方へ向けた際には、移動駒部材が前方へ移動することで、インキ収容体の後方に溜まったインキを強制的にペン芯側へ移動させて、すぐに筆記を行うことができるようになり、また移動駒部材がインキ吸入の操作の妨げになり難く、さらにインキの流出や気泡の後方への移動をスムーズに行うことができるので、インキの流出が妨げられることなく滑らかに筆記を行えるものとなった。
【図面の簡単な説明】
【００１１】
【図１】本実施例のインキ吸入具付の万年筆である。
【図２】インキ吸入具を取り外した状態の図である。
【図３】胴部を取り外してインキ吸入具を露出した状態を示す図である。
【図４】図３のＫ−Ｋ線断面である。
【図５】インキを吸入する状態を示した図である。
【図６】本実施例のインキ吸入機構付の万年筆で、インキ収容体にインキを収容してペン先を上方に向けた状態の図である。
【図７】本実施例のインキ吸入具付の万年筆で、インキ収容体にインキを収容してペン先を上方に向けた状態から、ペン先を下方に向けた状態の図である。
【図８】本実施例のインキ吸入具付の万年筆で、筆記を行っている状態を示す図である。
【図９】従来のインキ吸入具付の万年筆である。
【図１０】従来のインキ吸入具付の万年筆にカートリッジを装着した状態の図である。
【図１１】従来のインキ吸入具付の万年筆である。
【発明を実施するための形態】
【００１２】
次に、図面を参照しながら説明を行うが、本発明は以下の実施例に限定されるものではない。また図中の同じ部材、同じ部品については、同じ符号としてある。尚、本実施例の説明においては、ペン先がある側を前方と表現し反対側を後方と表現する。
【００１３】
図１に示すように本実施例の万年筆１は、軸筒２を首部３と胴部４と尾冠４０とで構成してあり、尾冠４０は胴部４に圧入嵌合して一体とし、首部３と胴部４とは双方に設けた螺子部(図示せず)により着脱可能に螺子嵌合してある。軸筒２の前方にはペン芯２０とペン先２１とを装着してあり、軸筒２の内部にはインキ吸入具５を収容し、インキ収容体６の前端開口部６ａの内面に、ペン芯２０の後端部２０ａおよびペン芯２０を挿着させた首部３の中間部３ａが密着するようにしてインキ吸入具５を軸筒２に装着してある。図２は、首部３から胴部４を螺脱してインキ吸入具５を取り外した状態の図である。インキ収容体６の内部には、後方から前方へ向かって縮径する前端傾斜面１２ａを前端に設けた円筒部１２ｂと、円筒部１２ｂの後部を外方へ拡径してインキ収容体６の内面に形成した突部６ｂに当接させる鍔部１２ｃとを有し、円筒部１２ｂおよび鍔部１２ｃの軸心に沿って形成した貫通孔１２ｄを有する移動駒部材１２を、インキ収容体６の内部に前後動可能に配設してある。この状態において移動駒部材１２は、鍔部１２ｃがインキ収容体６の突部６ｂに当接して、インキ収容体６から脱落することを防止してある。尚、本実施例の移動駒部材１２は、インキの耐食性に優れインキより比重が重いステンレス材で成形してある。
【００１４】
また、図３で詳細を示してあるように、インキ吸入具５には、首部３に挿着した筒状のインキ収容体６の内部を前後動可能とする移動弁部材７を配設してあり、移動弁部材７に形成した孔部７ａへ押棒８の先端部８ａを圧入して一体としてある。また、操作部材９の外側に形成した大径部９ａの後端部をインキ収容体６の後部に圧嵌した連結筒１０の内向きの鍔部１０ａに当接させ、操作部材９の前端部を連結筒１０の内部に圧入および接着して固着させた回転規制部材１１へ当接させることにより、インキ収容体６に対して操作部材９が前後に動かない状態で回転可能に配設してある。また押棒８は、操作部材９の回転に伴って回転しないように、図４に示すように、回転規制部材１１に穿孔した長方形形状の貫通孔１１ａに対して、外形が長方形形状である押棒８を挿通させて回転を規制してある。また、操作部材９の内面に雌螺子部９ｂを形成し、押棒８の外面に雄螺子部８ｂを形成し、操作部材９を回転操作することによって、図３に示すように移動弁部材７が前後動するようにしてある。
【００１５】
次に、図５を用いて、インキ収容体にインキを吸入する状態についての説明を行う。図５に示すように、押棒８の係止部８ｃが操作部材９の係止受部９ｃに当接した前進状態から、操作部材９の逆回転で移動弁部材７を後退させることによって、インキ収容体６の内部に負圧を発生させ、インキ瓶２００に入れたペン芯２０を経由して、インキ収容体６の内部にインキ３００を吸入できる構造としてある。この時インキ３００は、ペン芯２０を通過し、移動駒部材１２の貫通孔１２ｄを通ってインキ収容体６の内部に収容される。本実施例では、移動駒部材１２の鍔部１２ｃの内面形状を移動弁部材７の先端部の外面形状に合致するよう形成したので、移動駒部材１２の鍔部１２ｃの内側に移動弁部材７の先端部が入り込むまで移動弁部材７を前進させ、インキ収容体６に多くのインキを吸入させることができた。
【００１６】
次に、図６および図７を用いて、本実施例のインキ吸入機構を用いた万年筆の使用状態について説明を行う。図６はインキ収容体６の内部にインキ３００が入った状態で、ペン先２１を上方へ向けることでインキ３００がインキ収容体６の後方へ寄った状態の図である。本実施例の万年筆１は、図６の状態から筆記するためにペン先を下へ向けた場合、図７に示すように、移動駒部材１２の前端傾斜面１２ａがペン芯２０の突起２０ｂに当接しながらさらに前進すると共に、インキ３００を確実にペン芯２０側へ移動させることができた。また、図８に示すように紙面Ｓへ筆記を行うと、インキ収容体６内のインキ３００に気泡Ｋが入ってくるが、本実施例の移動駒部材１２は、筆記状態において前端傾斜面１２ａがペン芯２０の後端部２０ａに隣接する構造であり、ペン芯２０の後端部２０ａにおける気泡Ｋがインキ収容体６へ入り込む位置に貫通孔１２ｄの先端が位置するようにしたことから、インキ収容体６の後方へ気泡Ｋがスムーズに移動することができ、インキ流出を妨げることなく滑らかな筆記を行うことができた。
【産業上の利用可能性】
【００１７】
本発明の構造は、万年筆以外のマーキングペンや水性ボールペンなどの筆記具に採用することも可能である。
【符号の説明】
【００１８】
１…万年筆、２…軸筒、
２０…ペン芯、２０ａ…後端部、２０ｂ…突起、
２１…ペン先、
３…首部、３ａ…中間部、
４…胴部、４０…尾冠、
５…インキ吸入具、
６…インキ収容体、６ａ…前端開口部、６ｂ…突部、
７…移動弁部材、７ａ…孔部、
８…押棒、８ａ…先端部、８ｂ…雄螺子部、８ｃ…係止部、
９…操作部材、９ａ…大径部、９ｂ…雌螺子部、９ｃ…係止受部、
１０…連結筒、１０ａ…鍔部、
１１…回転規制部材１１ａ…貫通孔、
１２…移動駒部材、１２ａ…前端傾斜面、１２ｂ…円筒部、
１２ｃ…鍔部、１２ｄ…貫通孔、
２００…インキ瓶、３００…インキ、Ｓ…紙面、Ｋ…気泡。
【図１】
0005744677.tif 000002
【図２】
0005744677.tif 000003
【図３】
0005744677.tif 000004
【図４】
0005744677.tif 000005
【図５】
0005744677.tif 000006
【図６】
0005744677.tif 000007
【図７】
0005744677.tif 000008
【図８】
0005744677.tif 000009
【図９】
0005744677.tif 000010
【図１０】
0005744677.tif 000011
【図１１】
0005744677.tif 000012